(57)【要約】  【課題】経編地から形成したファスナーテープを二つ折りして表裏の編地と折り返し部とにより収容部を設け、収容部内に芯紐を介在するファスナーエレメントを収容し、ファスナーエレメントを隠蔽したファスナーストリンガーを提供する。  【解決手段】経編地２の中央に粗組織領域２ａを設け、該領域２ａに芯紐１６に装着したファスナーエレメント１０の噛合頭部１３を差し込み、該領域２ａを中心に二つ折りして表側テープ部１９ａと裏側テープ部１９ｂと折り返し部１８とによりファスナーエレメント１０を被覆し、三者による収容部２０内に収容したファスナーエレメント１０はスライダー２２の摺動によって噛み合うとき、噛合頭部１３により折り返し部１８を押圧して変形できるように形成し、ファスナーエレメント１０を隠蔽した肌触りのよいファスナーストリンガーである。  【選択図】図６
2008154615.tif 000002
【特許請求の範囲】
【請求項１】
経編地２のファスナーテープ１の幅方向中間部分１ａに、中間部分１ａと隣り合う左右部分１ｂ，１ｃよりも経編組織が粗い粗組織領域２ａをファスナーテープ１の長さ方向に連続して設け、粗組織領域２ａでファスナーテープ１を二つ折りにして、表裏方向に対向する表側テープ部１９ａと裏側テープ部１９ｂと、表側テープ部１９ａと裏側テープ部１９ｂとを連結する折り返し部１８とで囲まれた収容部２０を形成し、芯紐１６に装着したファスナーエレメント１０を収容部２０内に収容し、ファスナーエレメント１０の噛合頭部１３を粗組織領域２ａに形成された編目７から収容部２０の外方へ突出させてなることを特徴とするスライドファスナー用ストリンガー。
【請求項２】
収容部２０は、折り返し部１８と、折り返し部１８からファスナーテープ１の幅方向に離間する側で、表側テープ部１９ａと裏側テープ部１９ｂとを固着した固着部１７との間に形成され、ファスナーエレメント１０の噛合頭部１３を除く他の部分を被覆してなる請求項１記載のスライドファスナー用ストリンガー。
【請求項３】
粗組織領域２ａは、ファスナーテープ１の長さ方向に編目７と隣り合って配されるサテン編糸５で編成されてなる請求項１記載のスライドファスナー用ストリンガー。
【請求項４】
粗組織領域２ａは、ファスナーテープ１の長さ方向に編目７と隣り合って配される緯挿入糸６で編成されてなる請求項１記載のスライドファスナー用ストリンガー。
【請求項５】
スライダー２２の摺動により噛合頭部１３が噛み合うとき、折り返し部１８は収容部２０側に向けて変形可能で、折り返し部１８が変形したときに、ファスナーエレメント１０が収容部２０からより多く突出してなる請求項１記載のスライドファスナー用ストリンガー。
【請求項６】
ファスナーエレメント１０は芯紐１６の長さ方向に沿って装着され、芯紐１６と折り返し部１８との間に、折り返し部１８の変形を許容するための間隙２０ａが配設されてなる請求項５記載のスライドファスナー用ストリンガー。
【請求項７】
ファスナーテープ１は、表面に凹部８ａと凸部８ｂとが交互に形成された凹凸条８が現出し、表側テープ部１９ａと裏側テープ部１９ｂの凹部８ａを縫糸１７ａで縫着して固着部１７を形成してなる請求項２記載のスライドファスナー用ストリンガー。
【発明の詳細な説明】
【技術分野】
【０００１】
この発明は、スライドファスナーに用いるファスナーストリンガーであって、ファスナーテープ全体を経編組織から編成し、テープの一部に粗い編目を作り、この編目にコイル状ファスナーエレメント列の噛合頭部を差し込んで、テープをこの編目から二つ折りして縫着したスライドファスナーに用いるファスナーストリンガーに関するものである。
【背景技術】
【０００２】
従来、図１２，１３に示すようにスライドファスナーに用いるファスナーテープを織製手段によって織製し、このファスナーテープにコイル状ファスナーエレメント列を挿入できる区間について、経糸を排除して緯糸のみを残し、粗い織目を作り、この粗い織目に芯紐を挿通したコイル状ファスナーエレメント列の噛合頭部を差し込み、この部分からファスナーテープを二つ折りしてファスナーエレメントを被覆し、スライドファスナーに用いることができるスライドファスナー用ストリンガーが知られている。
【特許文献１】米国特許第３４８７５１０号明細書
【発明の開示】
【発明が解決しようとする課題】
【０００３】
前述の図１２，１３に示したスライドファスナー用ストリンガーは、ファスナーテープを経糸と緯糸によって織製し、このファスナーテープにコイル状ファスナーエレメント列を差し込むことができる間隙を作るのに、その部分の経糸を排除して緯糸のみを配し、粗い織目を作り、この織目に芯紐を挿通したコイル状ファスナーエレメント列の噛合頭部を差し込み、コイル状ファスナーエレメント列を被覆すると同時にファスナーテープを二つ折りに折り曲げている。通常の手段では粗い織目の付近では経糸と緯糸が単に交錯しているのみであるから、ファスナーエレメント列に余分な荷重が加わると、織糸が前後左右にずれてしまう弊害がある。
【０００４】
そこで、前述の図１２，１３で示したスライドファスナー用ストリンガーは、粗織組織領域に隣り合う位置に配された経糸を強固に保持するため、緯糸にフラットな扁平部分を形成して経糸のずれを阻止し、かつ布帛処理によって緯糸を収縮させて、コイル状ファスナーエレメント列の噛合頭部を差し込んでファスナーエレメントの反転部を抱え込み、ファスナーテープの収縮によって、緯糸が緊密にファスナーエレメントの周りに引き寄せられ、これらの糸によって形成された保持手段でファスナーエレメントをファスナーテープに固定できる。しかしながら先行例に示されたスライドファスナー用ストリンガーは、ストリンガーを製造するのに緯糸に加工を加え、かつファスナーテープを収縮させなければならないので、ストリンガーの製造に手間がかかり、商品のコスト高につながるなどの問題点がある。
【０００５】
この発明は、上述の問題点を考慮して発明されたものであり、この発明のうち請求項１記載の発明は、ファスナーテープを経編地から編成し、ファスナーテープに粗い経編組織で編成された領域を形成してファスナーエレメントの噛合頭部を編目に差し込み、ファスナーテープを粗組織領域で二つ折りにしてその内側にファスナーエレメントを収容することができ、粗い経編組織の領域を形成する編糸は特別に加工する必要はなく他のウエールを形成する編糸に絡み付けて強固に固定し、安定した粗組織領域に形成して単一体あるいはコイル状のファスナーエレメントを簡易に取り付け、ファスナーエレメントの大部分を被覆して保護し、デザイン的にも優れたスライドファスナーに仕上げることができ、しかも頑丈で廉価な経編組織のスライドファスナー用ストリンガーを提供することが主たる目的である。
【０００６】
請求項２記載の発明は、請求項１記載の発明の目的に加え、収容部はファスナーエレメントの噛合頭部を除く部分を全て被覆できる筒状の空間に形成して、収容部からファスナーエレメントが抜脱しないようにすることが目的である。
【０００７】
請求項３または４記載の発明は、請求項１記載の発明の目的に加え、粗組織領域を編成する編糸にサテン編糸または緯挿入糸を用いることで、編糸間にファスナーエレメントを差し込むことができる大きさの編目を簡易かつ安定して形成することができるスライドファスナー用ストリンガーを提供することが目的である。
【０００８】
請求項５または６記載の発明は、請求項１記載の発明の目的に加え、収容部に収容されたファスナーエレメントが、噛合時に収容部からの突出量を多くして左右のファスナーエレメントの噛合動作を確実に行うことができるスライドファスナー用ストリンガーを提供することが目的である。
【０００９】
請求項７記載の発明は、請求項２記載の発明の目的に加え、経編地で編成したファスナーテープは、テープの表面にウエールが隆起して凹凸条が現出した体裁のよい、しかも表裏のテープ部を固着する縫糸を確実に保護し、縫製作業が簡易に行えるスライドファスナー用ストリンガーを提供することが目的である。
【課題を解決するための手段】
【００１０】
前記の目的を達成するため、この発明のうち請求項１記載の発明は、経編地２で編成したファスナーテープ１の幅方向の中間部分１ａに、この中間部分１ａと隣り合う左側部分１ｂと右側部分１ｃよりも粗い経編組織で編成された粗組織領域２ａをファスナーテープ１の長さ方向に連続して設け、粗組織領域２ａでファスナーテープ１を二つ折りにして、ファスナーテープ１の表裏方向に対向する表側テープ部１９ａと裏側テープ部１９ｂと、表側テープ部１９ａと裏側テープ部１９ｂとを連結する折り返し部１８とで囲まれた収容部２０を形成し、芯紐１６に装着したファスナーエレメント１０を収容部２０内に収容し、ファスナーエレメント１０の噛合頭部１３を折り返し部１８の粗組織領域２ａに形成された編目７から収容部２０の外方へ向けて突出させてなることを特徴とするスライドファスナー用ストリンガーを主な構成とするものである。
【００１１】
請求項２記載の発明は、請求項１記載の発明の構成に加え、収容部２０は折り返し部１８と、この折り返し部１８からファスナーテープ１の幅方向に離間する側で、表側テープ部１９ａと裏側テープ部１９ｂとを固着した固着部１７との間に形成され、ファスナーエレメント１０の噛合頭部１３を除く他の部分を被覆したスライドファスナー用ストリンガーである。
【００１２】
請求項３記載の発明は、請求項１記載の発明の構成に加え、粗組織領域２ａはファスナーテープ１の長さ方向に編目７と隣り合って配されるサテン編糸５で編成されたスライドファスナー用ストリンガーである。
【００１３】
請求項４記載の発明は、請求項１記載の発明の構成に加え、粗組織領域２ａはファスナーテープ１の長さ方向に編目７と隣り合って配される緯挿入糸６で編成されてなるスライドファスナー用ストリンガーである。
【００１４】
請求項５記載の発明は、請求項１記載の発明の構成に加え、スライダー２２の摺動により噛合頭部１３が噛み合うとき、折り返し部１８は収容部２０側に向けて変形可能で、折り返し部１８が変形したときに、変形前よりもファスナーエレメント１０が収容部２０内からより多く突出するスライドファスナー用ストリンガーである。
【００１５】
請求項６記載の発明は、請求項５記載の発明の構成に加え、ファスナーエレメント１０は芯紐１６の長さ方向に沿って装着され、芯紐１６と折り返し部１８との間に、折り返し部１８の変形を許容するため、すなわち折り返し部１８が変形してもその変形形状と干渉し合うものが存在しない間隙２０ａが配設されたスライドファスナー用ストリンガーである。
【００１６】
請求項７記載の発明は、請求項２記載の発明の構成に加え、ファスナーテープは表面に経編地２のウエールＷが隆起することによる凹部８ａと凸部８ｂとが交互に形成された凹凸条８が現出し、ファスナーテープ１の表側テープ部１９ａと裏側テープ部１９ｂの凹部８ａを縫糸１７ａで縫着して固着部１７を形成したスライドファスナー用ストリンガーである。
【発明の効果】
【００１７】
この出願の効果として、請求項１記載の発明は、経編地のファスナーテープの幅方向中間部分に、中間部分と隣り合う左右部分よりも経編組織が粗い粗組織領域をファスナーテープの長さ方向に連続して設け、粗組織領域でファスナーテープを二つ折りにして、表裏方向に対向する表側テープ部と裏側テープ部と、表側テープ部と裏側テープ部とを連結する折り返し部とで囲まれた収容部を形成し、芯紐に装着したファスナーエレメントを収容部内に収容し、ファスナーエレメントの噛合頭部を粗組織領域に形成された編目から収容部の外方へ突出させたことによって、下記の効果を奏する。
【００１８】
ファスナーテープは経編地から編成し、この経編地の経編組織で粗組織領域を編成しているので、噛合頭部を差し込むことができる大きな編目を備えたファスナーテープの作製がきわめて簡単にできる利点があり、このファスナーテープを用いてファスナーエレメントの噛合頭部を編目に対して容易に差し込むことができ、しかも粗組織領域における編糸は、ウエールを編成する編糸に強固に交絡して緩むことがないのでファスナーエレメントを確実に固定でき、従来の織製テープのように経糸または緯糸が弛緩してしまうことがなく品質的にも優れたファスナーストリンガーが得られる。そのうえファスナーエレメントは噛合頭部を除いて収容部内に収容されているから肌に触れる頻度が少なく、幼児用品または介護用品等に用いて好適である効果がある。
【００１９】
請求項２記載の発明は、請求項１記載の発明の効果に加え、収容部は、折り返し部と、折り返し部からファスナーテープの幅方向に離間する側で、表側テープ部と裏側テープ部とを固着した固着部との間に形成され、ファスナーエレメントの噛合頭部を除く他の部分を被覆したことによって、収容部は筒状の空間を形成し、この筒状空間内にファスナーエレメントが配置され、ファスナーエレメントが収容部から抜脱することを防止することができる。また、ファスナーエレメントは噛合頭部を除いた部分がファスナーテープによって完全に被覆されて外部から目視することができず、ファスナーエレメントの形状に伴うゴツゴツ感が外観として現れず、美観を向上させることができる。
【００２０】
請求項３または４記載の発明は、請求項１記載の発明の効果に加え、粗組織領域は、ファスナーテープの長さ方向に編目と隣り合って配される編糸にサテン編糸または緯挿入糸を用いたことによって、編糸がファスナーテープの幅方向と略平行に走行し、編糸間に噛合頭部を差し込める大きさの編目を簡易に形成することができる効果がある。
【００２１】
請求項５記載の発明は、請求項１記載の発明の効果に加え、折り返し部は収容部側に向けて変形可能で、折り返し部が変形したときに、ファスナーエレメントが収容部からより多く突出することによって、相対するファスナーエレメントの噛合頭部が噛合する時に、折り返し部が噛合相手方のファスナーエレメントの噛合頭部によって押されて収容部側へ向けて変形し、噛合頭部と折り返し部との間に相手方のファスナーエレメントの噛合頭部が入り込み、噛合頭部同士の噛合を確実に行うことができる効果がある。
【００２２】
請求項６記載の発明は、請求項５記載の発明の効果に加え、ファスナーエレメントは芯紐の長さ方向に沿って装着され、芯紐と折り返し部との間に、折り返し部の変形を許容するための間隙が配設されていることによって、折り返し部が収容部側へ向けて容易に変形することができる効果がある。
【００２３】
請求項７記載の発明は、請求項２記載の発明の効果に加え、ファスナーテープ１は、表面に凹部と凸部とが交互に形成された凹凸条が現出し、表側テープ部と裏側テープ部の凹部を縫糸で縫着して固着部を形成したことによって、縫糸が凹部内に収容されて他の物品と接触しがたくなり、縫糸の糸切れを防止できる。また、凹凸条がファスナーストリンガーを製品に取り付ける際、その取り付け位置の目安となり、簡易且つ体裁よく取り付けることができる効果があるなど、この発明が奏する効果はきわめて顕著である。
【発明を実施するための最良の形態】
【００２４】
この発明におけるスライドファスナー用ストリンガーの形態は、図１に示すようにファスナーテープ１が経編組織の経編地２で形成され、この経編地２は鎖編糸３、トリコット編糸４、サテン編糸５の３種類の編糸から編成され、この編糸３，４，５は合成繊維のマルチフィラメントのナイロン糸またはポリエステル糸を用いて編成する。
【００２５】
ファスナーテープ１はその幅方向の中間部分１ａに、他の部分よりも粗い経編組織で編成された粗組織領域２ａが形成されている。このファスナーテープ１の経編地２を編成する編糸のなかの鎖編糸３（０−１／１−０）は、図１に示すように、ファスナーテープ１の幅方向に隣り合うウエールＷ１〜Ｗ１２のうちのＷ６，Ｗ７を除く全ウエールＷに配され、またトリコット編糸４（１−２／１−０）はウエールＷ６，Ｗ７間で交絡するトリコット編糸４を省き、他のウエールＷ間に交絡し、さらにサテン編糸５（１−０／３−４）はウエールＷ５，Ｗ８にわたって交絡するサテン編糸５を省き、これによってウエールＷ６，Ｗ７間にファスナーテープ１の長さ方向へ連続する粗組織領域２ａが形成され、この粗組織領域２ａに一定間隔に配した大きい編目７が形成される。
【００２６】
この経編地２にファスナーエレメント１０を取り付けるがファスナーエレメント１０として、合成樹脂製のモノフィラメントをコイル状に捲回してコイル状ファスナーエレメント列１２を形成し、このコイル状ファスナーエレメント列１２における個個のファスナーエレメント１２’は噛合頭部１３、上下脚部１４、反転部１５から形成され、コイル状ファスナーエレメント列１２の噛合頭部１３と上下脚部１４と反転部１５とに囲まれた内部空間に芯紐１６を挿通する。
【００２７】
このコイル状ファスナーエレメント１２’の噛合頭部１３を経編地２のファスナーテープ１に形成した粗組織領域２ａの編目７に差し込み、コイル状ファスナーエレメント１２’の内部に挿通した芯紐１６が編目７とファスナーテープ１の長さ方向に隣り合って配されたサテン編糸５に接して引掛り、コイル状ファスナーエレメント１２’の過度な差し込みを防止する。この際、コイル状ファスナーエレメント列１２における個個のファスナーエレメント１２’の噛合頭部１３は、ファスナーテープ１に一定間隔で形成された各編目７に対して１個ずつ差し込まれ、コイル状ファスナーエレメント列１２の噛合頭部１３が同一ピッチでファスナーテープ１から突出するように形成する。
【００２８】
その後、経編地２のファスナーテープ１は粗組織領域２ａを中心として図２〜４に示すように二つ折り返して、ファスナーテープ１の表裏方向に対向し、コイル状ファスナーエレメント１２’の上脚部１４を被覆する表側テープ部１９ａと、コイル状ファスナーエレメント１２’の下脚部１４を被覆する裏側テープ部１９ｂと、表側テープ部１９ａと裏側テープ部１９ｂとを連結する折り返し部１８とを形成し、また、表側テープ部１９ａと裏側テープ部１９ｂとを、折り返し部１８から離間したコイル状ファスナーエレメント１２’の反転部１５の近傍位置にて重合状に固着する。これにより、ファスナーエレメント１２’は、表側テープ部１９ａと裏側テープ部１９ｂと折り返し部１８と固着部１７とで囲まれた収容部２０内に収容され、コイル状ファスナーエレメント列１２は被覆される。また折り返し部１８と芯紐１６との間には噛合頭部１３が噛合相手の噛合頭部１３との噛合する時に、折り返し部１８の変形を許容するための間隙２０ａを設ける。なお、固着部１７は縫糸１７ａを用いて縫製して形成されることが好ましい。
【実施例１】
【００２９】
図１〜７に示した実施例１のスライドファスナー用ストリンガーは、図１に示すように経編組織から編成されたファスナーテープ１から形成され、このファスナーテープ１の経編地２におけるウエールＷに０−１／１−０の鎖編糸３を配し、この鎖編糸３に対し１−２／１−０の閉じ目のトリコット編糸４を絡げ、さらに１−０／３−４のサテン編糸５を絡げて編成した経編地２のファスナーテープ１である。この鎖編糸３、トリコット編糸４、さらにサテン編糸５は、それぞれポリアミド系繊維のマルチフィラメントから形成したナイロン糸、またはポリエステル系繊維のマルチフィラメントから形成したポリエステル糸を用いて編成する。
【００３０】
ファスナーテープ１は、その幅方向の中間部分１ａに、この中間部分１ａを挟んで配置される左側部分１ｂと右側部分１ｃよりも粗い経編組織で編成した粗組織領域２ａを形成している。ファスナーテープ１の経編地２を編成する編糸のうち０−１／１−０の鎖編糸３は、図１に示すように、Ｗ１〜Ｗ１２のうちのウエールＷ６，Ｗ７を除いた全てのウエールＷに配し、また１−２／１−０の閉じ目のトリコット編糸４はウエールＷ６，Ｗ７間で絡げられるトリコット編糸４を省き、他のウエールＷ間にはトリコット編糸４を絡げ、さらに１−０／３−４のサテン編糸５はウエールＷ５，Ｗ８にわたって絡げたサテン編糸５を省き、他のウエールＷ間にサテン編糸５を絡げ、これによってウエールＷ６，Ｗ７間にファスナーテープ１の長さ方向へ連続する粗組織領域２ａが形成され、この粗組織領域２ａに経編地２の他の部分に形成される編目よりも大きな編目７が複数形成される。この編目７におけるファスナーテープの長さ方向両側にはサテン編糸５が走行しており、各編目７がサテン編糸５を挟んでファスナーテープ１の長さ方向へ所定間隔毎に設けられている。
【００３１】
この大きい編目７を利用してファスナーエレメント１０を経編地２に取り付ける。コイル状ファスナーエレメント１２’としては、ポリアミド系繊維あるいはポリエステル系繊維のモノフィラメントをコイル状に捲回したコイル状ファスナーエレメント列１２を形成する。このコイル状ファスナーエレメント列１２は長手方向に隣り合う多数のコイル状ファスナーテープエレメント１２’で構成され、１個のファスナーエレメント１２’は、噛合頭部１３と、この噛合頭部１３に連結する上下の脚部１４と、隣り合うファスナーエレメント１２’の脚部１４間を連結する反転部１５とから形成する。このコイル状ファスナーエレメント列１２の内部に、ポリアミド系繊維あるいはポリエステル系繊維のマルチフィラメントから形成した芯紐１６を挿通して、芯紐１６の周囲にコイル状ファスナーエレメント列１２を装着させる。
【００３２】
このコイル状ファスナーエレメント列１２の噛合頭部１３をファスナーテープ１の粗組織領域２ａの編目７にファスナーテープ１の一方面側から差し込み、芯紐１６が編目７の両側に配置したサテン編糸５に引掛って、コイル状ファスナーエレメント列１２が編目７に過度に差し込まれることを防ぐ。この差し込みの際、コイル状ファスナーエレメント列１２における個個のコイル状ファスナーエレメント１２’の噛合頭部１３は、ファスナーテープ１に一定間隔で形成された各編目７に１個づつ差し込まれ、コイル状ファスナーエレメント１２’の各噛合頭部１３が同一ピッチでファスナーテープ１の一方面とは反対側の他方面から突出するように形成する。
【００３３】
その後、ファスナーテープ１は粗組織領域２ａ、すなわち中間部分１ａを中心として図２に示すように二つ折りに折り曲げて、ファスナーテープ１にファスナーテープ１の表裏方向に対向する表側テープ部１９ａと裏側テープ部１９ｂと、表側テープ部１９ａと裏側テープ部１９ｂとを連結する折り返し部１８とを設ける。そして、表側テープ部１９ａと裏側テープ部１９ｂとを折り返し部１８から離間した位置、すなわちコイル状ファスナーエレメント１２’の反転部１５の外側近傍位置で重合する形態に縫製して固着部１７を形成する。これによりコイル状ファスナーエレメント列１２は、表側テープ部１９ａと裏側テープ部１９ｂと、折り返し部１８と固着部１７とで囲まれた収容部２０内に収容され、コイル状ファスナーエレメント１２’の噛合頭部１３を除く全ての部分が被覆され、コイル状ファスナーエレメント列１２が外部に露呈しない形態のファスナーストリンガーに形成する。この際、図３，４に示すように、コイル状ファスナーエレメント列１２内に挿通した芯紐１６と折り返し部１８との間にコイル状ファスナーエレメント列１２の噛合頭部１３が、図５，６に示すように噛合相手の噛合頭部１３と噛み合ったとき、折り返し部１８が噛合頭部１３に押圧されて、収容部２０側へ向けて変形できるように間隙２０ａを設置して噛合動作が円滑に行えるようにする。なお、固着部１７の固着手段としては、縫糸１７ａを用いた縫製に限らず、接着剤を用いて接着したり、編糸の一部を加熱して溶着させたものであってもよい。
【００３４】
スライドファスナー用ストリンガーの噛合動作を説明すると、まず図５に示すように、スライダー２２が肩口２７側（図示の上方）へ移動すると、スライダー２２の内部のエレメント案内通路に挿通されたコイル状ファスナーエレメント列１２の反転部１５側がスライダー２２のエレメント案内通路の左右両側に設けたフランジ２５によって押圧され、この動作によってコイル状ファスナーエレメント列１２の噛合頭部１３が、噛合相手のコイル状ファスナーエレメント列１２が装着されたファスナーストリンガーの折り返し部１８を押圧して、折り返し部１８を収容部２０側へ向けて凹状に湾曲させた形態に変形させる。これによりコイル状ファスナーエレメント１２’は、折り返し部１８が変形する前の状態の時よりも収容部２０内から外方へ多く突出、すなわちコイル状ファスナーエレメント１２’の上下脚部１４の一部が外方へ突出し、噛合頭部１３と折り返し部１８との間に噛合相手方のコイル状ファスナーエレメント１２’の噛合頭部１３が入り込んで噛合を完了する。
【００３５】
次にスライダー２２が後口２８側（図示の下方）へ摺動すると、スライダー２２の左右方向の中央で肩口側の端部に配置された案内柱２３によって噛合状態のコイル状ファスナーエレメント列１２を左右に分離させるとともに、コイル状ファスナーエレメント列１２の噛合頭部１３の先端を収容部２０側へ向けて押圧し、噛合頭部１３における押圧から開放された折り返し部１８が元の形態に弾性復帰してコイル状ファスナーエレメント列１２の噛合頭部１３以外の部分を再び収容部２０内へ収容させる。
【００３６】
経編地２の変形例として、図７に示すように、サテン編糸５を（０−１／４−３）の開き目の組織で編成することもでき、このサテン編糸５でファスナーテープ１の幅方向中間部分１ａに粗い経編組織で編成した粗組織領域２ａを形成する。
【００３７】
また経編地２は図８に示すように、全体が経編組織の経編地２で編成されたファスナーテープ１から形成し、このファスナーテープ１の経編地２におけるウエールＷに０−１／１−０の鎖編糸３を配し、この鎖編糸３に対し１−２／１−０の閉じ目のトリコット編糸４を絡げ、さらに０−１／４−４の緯挿入糸６を絡げて編成することができる。この鎖編糸３、トリコット編糸４および緯挿入糸６は、それぞれ前記実施例１の編糸と同一の材質のポリアミド系繊維のマルチフィラメントから形成したナイロン糸、またはポリエステル系繊維のマルチフィラメントから形成したポリエステル糸を用いて編成する。
【００３８】
ファスナーテープ１の経編地２を編成する編糸のうち０−１／１−０の鎖編糸３は、ファスナーテープ１の幅方向中間部分１ａに配されたウエールＷ、例えば図８に示したウエールＷ６を除いた他の全てのウエールＷに配し、また１−２／１−０の閉じ目のトリコット編糸４は、ウエールＷ６に絡げられるトリコット編糸４を省き、他のウエールＷ間にはトリコット編糸４を絡げ、さらに０−０／４−４の緯挿入糸６は、ウエールＷ６を除く他の全てのウエールＷにわたって絡げ、これによってウエールＷ６にファスナーテープ１の長さ方向へ連続する粗組織領域２ａが形成され、この粗組織領域２ａに経編地２の他の部分に形成される編目よりも大きな編目７が複数形成される。
【００３９】
なお、緯挿入糸６を０−０／３−３または０−０／５−５の組織として粗組織領域２ａに編成し、緯挿入糸６の編み込み本数を増減することによってファスナーエレメント１０のサイズに即応したスライドファスナー用ストリンガーに仕上げることもできる。
【実施例２】
【００４０】
図９に示した実施例２のスライドファスナー用ストリンガーは、ファスナーエレメント１０をアルミニウム合金または亜鉛合金から形成した単一体のファスナーエレメント１１を芯紐１６に一定間隔でプレス加工によって取り付け、ファスナーエレメント１１の噛合頭部１３を経編地２のファスナーテープ１の幅方向中間部１ａに形成した粗組織領域２ａの編目に差し込み、ファスナーテープ１を粗組織領域２ａを中心にして折り返して、表裏方向に対向する表側テープ部１９ａと裏側テープ部１９ｂと、表裏のテープ部１９ａ，１９ｂを連結する折り返し部１８とを形成し、表側テープ部１９ａと裏側テープ部１９ｂとをファスナーエレメント１１の脚部１４の外側近傍位置にて重合状に固着する。これにより、表側テープ部１９ａと、裏側テープ部１９ｂと、折り返し部１８と固着部１７とで囲まれたファスナーエレメント１１の収容部２０を形成する。またファスナーエレメント１０はポリアミド、ポリアセタール、ポリプロピレン、ポリブチレンテレフタレートなどの樹脂を用いて射出成形手段によって単一体のファスナーエレメント１１に成形してもよい。さらに経編地２のファスナーテープ１に装着する際、芯紐１６と折り返し部１８との間に折り返し部１８の変形を許容する間隙２０ａを設け、単一体のファスナーエレメント１１が収容部２０から有効に突出入動作できるように形成する。
【実施例３】
【００４１】
図１０に示した実施例３のスライドファスナー用ストリンガーは、経編地２のファスナーテープ１を二つ折りしてコイル状ファスナーエレメント列１２を被覆したファスナーストリンガーにおいて、コイル状ファスナーエレメント列１２内に挿通した芯紐１６が折り返し部１８との間に間隙２０ａを備えてない変形例を示したものであり、左右のコイル状ファスナーエレメント列１２が噛み合ったとき、折り返し部１８が噛合相手のコイル状ファスナーエレメント列１２の噛合頭部１３に押圧され、芯紐１６が横方向に収縮して変形する。噛合動作が解除すると、芯紐１６は元の大きさに弾性復帰して折り返し部１８を元の形状に戻す。
【実施例４】
【００４２】
図１１に示した実施例４のスライドファスナー用ストリンガーは、図１，７および８に示した経編組織から編成された経編地２のファスナーテープ１において、各ウエールＷの表面にウエールＷを構成する編糸すなわち鎖編糸３、トリコット編糸４またサテン編糸５のニードル・ループが隆出して、ファスナーテープ１の幅方向に凹部８ａと凸部８ｂとが交互に配置された凹凸条８が形成され、裏面は各ウエールＷを連結するトリコット編糸４またサテン編糸５によって平坦状に編成する。この経編地２のファスナーテープ１の幅方向中間部分に形成された粗組織領域２ａの編目７に対しコイル状ファスナーエレメント列１２の噛合頭部１３を差し込み、ファスナーテープ１を二つ折りして、表側テープ部１９ａと裏側テープ部１９ｂと、表側テープ部１９ａと裏側テープ部１９ｂを連結する折り返し部１８と、表側テープ部１９ａと裏側テープ部１９ｂとを重合状に固着した固着部１７とを設けて、コイル状ファスナーエレメント１２を収容して被覆する収容部２０を形成する。この固着部１７において、経編地２の凹部８ａを環縫いなどの縫糸１７ａによって表裏から縫着し、この縫製によって凸部８ｂが縫糸１７ａを他の物品との接触から保護し、ファスナーテープ１の側端を使用製品に取り付けて使用する。経編地２の表面に凹凸条８が存在するので、他製品に縫い付けるのに目安となるなど利点がある。
【産業上の利用可能性】
【００４３】
この発明のスライドファスナー用ストリンガーは、ファスナーエレメントが経編地のファスナーテープによって被覆され隠蔽されているので、ファスナーエレメントが露呈しない斬新なデザインの衣服、鞄等に用いるデザインの向上、またファスナーエレメントが肌と接触する頻度を少なくできるので幼児用具または介護用具に用いて安全なファスナーストリンガーである。
【図面の簡単な説明】
【００４４】
【図１】実施例１に基づくスライドファスナー用ストリンガーの経編組織図である。
【図２】同上のファスナーテープの使用状態を示す斜視図である。
【図３】同上のファスナーテープの使用状態を示す一部を破断した正面図である。
【図４】同上の図３におけるＡ−Ａ断面図である。
【図５】同上のスライドファスナーの一部切断した正面図である。
【図６】同上の図５におけるＢ−Ｂ断面図である。
【図７】同上のファスナーストリンガーの変形例を示す経編組織図である。
【図８】同上のファスナーストリンガーの他の変形例を示す経編組織図である。
【図９】実施例２に基づく単一体のファスナーエレメントの正面図である。
【図１０】実施例３に基づくコイル状ファスナーエレメント列の断面図である。
【図１１】実施例４に基づくコイル状ファスナーエレメント列の断面図である。
【図１２】公知のファスナーテープの平面図である。
【図１３】同上のファスナーテープにファスナーエレメントをを取り付けた状態を示す平面図である。
【符号の説明】
【００４５】
１      ファスナーテープ
１ａ    中間部分
１ｂ    左側部分
１ｃ    右側部分
２      経編地
３      鎖編糸
４      トリコット編糸
５      サテン編糸
６      緯挿入糸
７      編目
８      凹凸条
８ａ    凹部
８ｂ    凸部
１０    ファスナーエレメント
１１    単一体のファスナーエレメント
１２    コイル状ファスナーエレメント列
１２’  コイル状ファスナーエレメント
１３    噛合頭部
１６    芯紐
１７    固着部
１７ａ  縫糸
１８    折り返し部
１９ａ  表側テープ部
１９ｂ  裏側テープ部
２０    収容部
２０ａ  間隙
２２    スライダー
Ｗ      ウエール
【図１】
2008154615.tif 000003
【図２】
2008154615.tif 000004
【図３】
2008154615.tif 000005
【図４】
2008154615.tif 000006
【図５】
2008154615.tif 000007
【図６】
2008154615.tif 000008
【図７】
2008154615.tif 000009
【図８】
2008154615.tif 000010
【図９】
2008154615.tif 000011
【図１０】
2008154615.tif 000012
【図１１】
2008154615.tif 000013
【図１２】
2008154615.tif 000014
【図１３】
2008154615.tif 000015